(57)【要約】【課題】手やズボン等に尿が付着しない、残尿でパンツが汚れない、尿で小用便器やその周辺が汚れることによってトイレの管理者や清掃者に負担を与えることがない衛生的な設備を提供する。【解決手段】この発明に係る小用拭き取り紙提供装置は、小用拭き取り紙を保持する保持部と、該保持部に保持された小用拭き取り紙と、該保持部に保持された小用拭き取り紙を取り出すための取出手段とを備え、該小用拭き取り紙は水に溶け易い材質の紙からなることを特徴とする。【選択図】            図１
2004254892.tif 000002
【特許請求の範囲】
【請求項１】
小用拭き取り紙を保持する保持部と、該保持部に保持された小用拭き取り紙と、該保持部に保持された小用拭き取り紙を取り出すための取出手段とを備え、該小用拭き取り紙は水に溶け易い材質の紙からなることを特徴とする小用拭き取り紙提供装置。
【請求項２】
前記保持部に所定サイズの小用拭き取り紙が積層され、前記取出手段に紙送り装置が設けられ、該小用拭き取り紙は該紙送り装置によって外部に各別に提供されるようになっていることを特徴とする請求項２に記載の小用拭き取り紙提供装置。
【請求項３】
小用便器の間に設置されていることを特徴とする請求項１または２に記載の小用拭き取り紙提供装置。
【請求項４】
使用済みの小用拭き取り紙を投棄する投棄部を備え、該投棄部は使用済みの小用拭き取り紙を収容する収容部と、該収容部内に使用済みの小用拭き取り紙を投入する投入口とを備えていることを特徴とする小用拭き取り紙廃棄装置。
【請求項５】
前記収容部に水を供給する水供給手段と、該収容部内の小用拭き取り紙を水とともに排出させる排出手段とを備えていることを特徴とする請求項４に記載の小用拭き取り紙廃棄装置。
【請求項６】
使用済みの小用拭き取り紙の投入を検知して水供給手段を作動させるセンサーを備えていることを特徴とする請求項５に記載の小用拭き取り紙廃棄装置。
【請求項７】
小用便器の間に設置されていることを特徴とする請求項４〜６のいずれかに記載の小用拭き取り紙廃棄装置。
【請求項８】
前記小用拭き取り紙提供装置の下に設けられていることを特徴とする請求項７に記載の小用拭き取り紙廃棄装置。
【発明の詳細な説明】
【０００１】
【発明の属する技術分野】
この発明は、男性が小用後に自己の男性自身の先に残った尿を拭き取るために使用する紙を自動的に提供する小用拭き取り紙提供装置と尿を拭き取った後の紙を廃棄するための小用拭き取り紙廃棄装置に関するものである。
【０００２】
【従来の技術】
公共の場所やホテル等に設置されている男性用の小用トイレは、縦長の小用便器が壁に所定間隔で複数個設置されたものが多く、男性はこの小用便器の前に並んで立ち、この小用便器の内側の壁に向かって放尿し、放尿後、男性自身の先を振り、男性自身の先に残っていた尿を小用便器内に振り落とし、そのままパンツの中に戻すのが一般的である。
【０００３】
【発明が解決しようとする課題】
しかし、尿を振り落とそうとして男性自身の先を振った場合、尿のしずくが小用便器の周囲に飛び散り、小用便器やその周辺が尿で汚れて不衛生になったり、トイレの管理者や清掃者に多大な清掃負担を与えるという問題があった。
【０００４】
また、尿を振り落とそうとして男性自身の先を振った場合、尿のしずくが周囲にも飛び散り、手、チャック、ズボン等に尿が付着したり、隣の人にまで飛んで行って隣の人に多大な迷惑をかけることがあるという問題があった。
【０００５】
また、尿が充分に出切らず、元に戻した後に、更なる残尿がパンツの中に出てパンツを汚して困ることがあるという問題があった。
【０００６】
この発明は、男性が小用後に自己の男性自身の先に残った尿を拭き取るために使用する紙を自動的に提供する小用拭き取り紙提供装置と尿を拭き取った後の紙を廃棄するための小用拭き取り紙廃棄装置を提供することを目的とする。
【０００７】
【課題を解決するための手段】
この発明に係る小用拭き取り紙提供装置は、小用拭き取り紙を保持する保持部と、該保持部に保持された小用拭き取り紙と、該保持部に保持された小用拭き取り紙を取り出すための取出手段とを備え、該小用拭き取り紙は水に溶け易い材質の紙からなることを特徴とするものである。
【０００８】
ここで、前記保持部に所定サイズの小用拭き取り紙を積層させ、前記取出手段に紙送り装置を設け、該小用拭き取り紙を該紙送り装置によって外部に各別に提供させるようにしてもよい。また、小用拭き取り紙提供装置を隣り合う小用便器の間に設置してもよい。
【０００９】
また、この発明に係る小用拭き取り紙廃棄装置は、使用済みの小用拭き取り紙を投棄する投棄部を備え、該投棄部は使用済みの小用拭き取り紙を収容する収容部と、該収容部内に使用済みの小用拭き取り紙を投入する投入口とを備えていることを特徴とするものである。
【００１０】
ここで、前記収容部に水を供給する水供給手段と、該収容部内の小用拭き取り紙を水とともに排出させる排出手段とを備えるようにしてもよい。また、使用済みの小用拭き取り紙の投入を検知して水供給手段を作動させるセンサーを設けるようにしてもよい。更に、小用拭き取り紙廃棄装置を隣り合う小用便器の間に設置してもよい。
【００１１】
【発明の実施の形態】
まず、この発明の一実施の形態に係る小用拭き取り紙提供装置の構成及び動作を図１〜図３を参照しながら説明する。
【００１２】
図１はこの発明の一実施の形態に係る小用拭き取り紙提供装置及び小用拭き取り紙廃棄装置の外観斜視図、図２はこの発明に係る小用拭き取り紙提供装置の内部の説明図、図３はこの発明に係る小用拭き取り紙提供装置の紙保持部の説明図である。
【００１３】
これらの図において、１０は紙保持部であり、紙保持部１０の内側には複数枚の小用拭き取り紙１２が積層された状態で収容・保持されている。小用拭き取り紙１２は水に溶け易い吸水性の良い材質の紙からなり、形状、大きさ、厚さは任意であり、例えば大きさが５０ｍｍ×５０ｍｍ、厚さが３ｍｍ程度で、真ん中が若干たるんだ形のものを使用することができるが、形状、大きさ、厚さに限定はない。
【００１４】
紙保持部１０の内部の下側にはコイル状のバネ１４が上方向に向けて略垂直に設けられ、紙保持部１０の上方には紙送り装置１６が設けられている。紙送り装置１６の上方には最上段の小用拭き取り紙１２の後端部の有無を光学的に検知するセンサー１８が設けられている。
【００１５】
紙保持部１０、バネ１４，紙送り装置１６及びセンサー１８は筐体２０に囲まれている。
【００１６】
紙送り装置１６はローラ２２，２４，２６及びモータ２８からなり、ローラ２２，２４，２６はモータ２８に連結され、各矢印に示す方向に回転するようになっている。ローラ２６は小用拭き取り紙１２が２枚送りされないように回転方向がローラ２２，２４とは逆方向になっている。
【００１７】
筐体２０の正面側で、ローラ２４，２６に近い位置には小用拭き取り紙１２を取り出すための紙取出口３０が設けられている。紙取出口３０の下の位置には紙補充用扉３１が設けられている。
【００１８】
積層されている小用拭き取り紙１２はバネ１４によって下から支持されかつ上方に付勢されている。最上段の小用拭き取り紙１２はローラ２２，２４に当接し、それ以上の上昇が阻止されている。最上段の小用拭き取り紙１２は先端部を紙取出口３０から筐体２０の外側に突出させ、途中をローラ２４，２６に挟まれた状態になっている。
【００１９】
センサー１８が後端部を検知しない場合はモータ２８を駆動させ、ローラ２２，２４，２６を回転させ、小用拭き取り紙１２を紙取出口３０の側に送らせ、センサー１８が小用拭き取り紙１２の後端部を検知した場合はモータ２８の駆動を停止させ、紙送りを停止させるようになっている。
【００２０】
この小用拭き取り紙提供装置において、最上段の小用拭き取り紙１２の後端部がセンサー１８によって検知されない場合、モータ２８が駆動してローラ２２，２４，２６が回転し、ローラ２２，２４に接していた最上層の紙１２はローラ２２，２４により紙取出口３０に向けて送られ、その先端部は紙取出口３０から筐体２０の外側に突出する。
【００２１】
最上段の小用拭き取り紙１２の後端部がセンサー１８によって光学的に検知されると、モータ２８の駆動が停止し、ローラ２２，２４，２６の回転が停止し、小用拭き取り紙１２の紙取出口３０に向けての移動が停止する。
【００２２】
小用拭き取り紙１２が紙取出口３０から使用者によって引き抜かれると、センサー１８が小用拭き取り紙１２の無くなったことを検知し、モータ２８を駆動させ、ローラ２２，２４，２６が回転し、再び最上段の小用拭き取り紙１２が紙取出口３０に向けて送られ、その先端部が紙取出口３０から筐体２０の外側に突出する。
【００２３】
この小用拭き取り紙提供装置の紙保持部１０の小用拭き取り紙１２が無くなった場合は、筐体２０に設けられた紙補充用扉３１を開き、バネ１４を下げ、隙間から小用拭き取り紙１２を層状に詰め、バネ１４を戻し、筐体２０の紙補充用扉３１を閉じる。
【００２４】
次に、この発明の一実施の形態に係る小用拭き取り紙廃棄装置の構成及び動作を図１、図４及び図５を参照しながら説明する。
【００２５】
図４は閉状態にある紙投入口の開閉装置の説明図、図５は開状態になった紙投入口の開閉装置の説明図である。
【００２６】
図１、図４及び図５において、３２は紙廃棄装置の筐体であり、筐体３２の正面には使用済みの小用拭き取り紙１２を投入する紙投入口３４が設けられている。紙投入口３４にはスライド式の開閉蓋３６が設けられ、筐体３２の内部には開閉蓋３６を開閉させる開閉装置３８と使用済みの小用拭き取り紙１２を収容するゴミ箱４０が設けられている。
【００２７】
開閉装置３８はペダル４２と、ペダル４２の力を開閉蓋３６に伝達する伝達機構４２とからなり、伝達機構４２は開閉蓋３６に連結されている。ペダル４２を足で踏むと伝達機構４２が働いて開閉蓋３６が下がり、紙投入口３４が開く。ペダル４２から足を離すと開閉蓋３６は自動的に戻り、紙投入口３４は閉じる。
【００２８】
小用便器で排尿を済ませ、男性自身の先を拭いた使用者が小用拭き取り紙廃棄装置のペダル４２を足で踏むと、伝達機構４２が働いて開閉扉３６が下方に下がり、紙投入口３４が開く。使用者は使用済みの小用拭き取り紙１２を紙投入口３４に投入する。その後、使用者がペダルから足を離すと開閉扉３６が上方に上がり、紙投入口３４は閉じ、筐体３２の内部から尿の臭いが洩れないことになる。
【００２９】
この発明に係る小用拭き取り紙提供装置及び小用拭き取り紙廃棄装置は、公衆トイレ、シティーホテルのトイレ等の男性用トイレの小用便器の間に設置するのが好ましい。また、例えば、シティホテルなどでは、小用便器と同じ材質で作り、設置してもよい。
【００３０】
なお、上記実施の形態では、小用拭き取り紙提供装置と小用拭き取り紙廃棄装置が上下に重ねられたものについて説明したが、小用拭き取り紙提供装置だけを設置してもよい。ただし、この場合は、すべて、トイレに流すことが前提となるので、溶解度の極めて良い、水溶紙を提供するか、水洗度（紙の溶解度）を強化した小用トイレを新設する必要がある。
【００３１】
また、紙廃棄装置の内部に、水供給手段と、排出手段とを設け、小用拭き取り紙を下水道に流せるようにしてもよい。この場合は、使用済みの小用拭き取り紙の投入を検知して水供給手段を作動させるセンサーを設け、自動的に小用拭き取り紙を排出させることができるようにするのが好ましい。
【００３２】
また、既存トイレに上記装置を設置する場合は、安定性、利便性（掃除がしやすく）を考え、装置の背の部分に、吸盤（４又は６個）を設け、トイレのタイル壁に吸着固定させるようにしてもよい。
【００３３】
また、図６に示すように、現在の携帯ティッシュのような形で、４隅に足が着いており、トイレの上に置けるような形としてもよい。紙は１０枚（１０回分）を束ね、図７に示すように、２つ折りで持ち運べるようにする。使用するときは、２つ折りを平たくし、トイレの上に置き、最上の一枚を使用する（２つ折りは、衛生上の考えによるもの）。この紙も水に溶ける材料が好ましい。
【００３４】
【発明の効果】
この発明は、小用拭き取り紙を容易に入手することができるので、男性自身を振らなくても尿を除去することができ、小用便器及びその周辺が汚れ難くなり、、小用トイレの管理者及び清掃者に対する小用トイレの清掃負担が減るという効果がある。
【００３５】
また、この発明は、小用拭き取り紙を紙送り装置によって外部に各別に提供させるようにした場合、小用トイレの使用者に小用拭き取り紙が円滑に提供されることになるという効果がある。
【００３６】
また、この発明は、小用便器の間に小用拭き取り紙提供装置を設置させた場合、小用トイレの使用者が小用拭き取り紙を容易に入手することができ、便利になるという効果がある。
【００３７】
また、この発明は、使用済みの小用拭き取り紙を投棄する投棄部を備えているので、使用済みの小用拭き取り紙を容易に廃棄することができ、使用済みの小用拭き取り紙が小用便器内に投げ捨てられなくなり、小用トイレが詰まるおそれがなくなるという効果がある。
【００３８】
また、この発明は、収容部に水を供給する水供給手段と、収容部内の小用拭き取り紙を水とともに排出させる排出手段とを設けた場合、投棄部内の使用済みの小用拭き取り紙を清掃人が清掃・除去することなく排出・除去することができるという効果がある。
【００３９】
また、この発明は、使用済みの小用拭き取り紙の投入を検知して水供給手段を作動させるセンサーを備えるようにした場合、投棄部内の使用済みの小用拭き取り紙を自動的に排出・除去することができるという効果がある。
【００４０】
また、この発明は、小用拭き取り紙廃棄装置を小用便器の間に設置した場合、小用トイレの使用者が使用済みの小用拭き取り紙を容易に廃棄することができるという効果がある。
【図面の簡単な説明】
【図１】この発明の一実施の形態に係る小用拭き取り紙提供装置及び小用拭き取り紙廃棄装置の斜視図である。
【図２】この発明に係る小用拭き取り紙提供装置の内部の説明図である。
【図３】この発明に係る小用拭き取り紙提供装置の紙保持部の説明図である。
【図４】閉状態にある紙投入口の開閉装置の説明図である。
【図５】開状態になった紙投入口の開閉装置の説明図である。
【図６】携帯型小用拭き取り紙の説明図である。
【図７】二つ折りにした携帯型小用拭き取り紙の説明図である。
【符号の説明】
１０  紙保持部
１２  小用拭き取り紙
１４  バネ
１６  紙送り装置
１８  センサー
２０  筐体
２２  ローラ
２４  ローラ
２６  ローラ
２８  モータ
３０  紙取出口
３１  紙補充用扉
３２  筐体
３４  紙投入口
３６  開閉扉
３８  開閉装置
４０  ゴミ箱
４２  ペダル
４２  伝達機構
【図１】
2004254892.tif 000003
【図２】
2004254892.tif 000004
【図３】
2004254892.tif 000005
【図４】
2004254892.tif 000006
【図５】
2004254892.tif 000007
【図６】
2004254892.tif 000008
【図７】
2004254892.tif 000009